(57)【要約】      （修正有）【課題】縦柱に対して容易に連結できる仮設部材を提供する。【解決手段】縦柱（１２）の間を連結する仮設部材（２４）は、隣接する縦柱の間に水平方向に配置される水平部材（２６）と、水平部材の一端側に回転自在に連結された斜材（２８）と、水平部材の一端側と他端側にそれぞれ設けられ、縦柱の外周面から外側に伸びる一対の側壁（２０）と一対の側壁（２０）の端部を相互に連結する端壁（２２）からなる略コ字状のポケット（１４）に係合する連結部（４８、４８’）と、斜材の自由端に設けられ、連結部が係合するポケットの下方又は上方に設けられた別のポケットと係合する係合部（７４）を有する。水平部材の両端に設けた連結部は、ポケットにその上方から挿入される挿入部分（５４）と、挿入部分を挟んでその両側でほぼ平行に下方に伸び、挿入部分をポケットに挿入した状態でポケットの両側壁を挟んで挿入部分に対向する案内部分（６４）を有する。【選択図】図６
2006169883.tif 000002
【特許請求の範囲】
【請求項１】
所定の間隔をあけて配置された縦柱（１２）の間を相互に連結する仮設部材（２４）であって、
隣接する縦柱（１２）の間に水平方向に配置される水平部材（２６）と、
上記水平部材（２６）の一端側に回転自在に連結された斜材（２８）と、
上記水平部材（２６）の一端側と他端側にそれぞれ設けられ、上記縦柱（１２）の外周面から外側に略平行に伸びる一対の側壁（２０）と上記一対の側壁（２０）の端部を相互に連結する端壁（２２）からなる横断面が略コ字状のポケット（１４）に係合する連結部（４８、４８’）と、
上記斜材（２８）の自由端に設けられ、上記連結部（４８）が係合するポケット（１４）の下方又は上方に設けられた別のポケット（１４）と係合する係合部（７４）を有し、
上記水平部材（２６）の両端に設けた連結部（４８，４８’）の少なくともいずれか一方は、
上記ポケット（１４）にその上方から挿入される挿入部分（５４）と、
上記挿入部分（５４）を挟んでその両側でほぼ平行に下方に伸び、上記挿入部分（５４）を上記ポケット（１４）に挿入した状態で上記ポケット（１４）の両側壁（２０）を挟んで上記挿入部分（５４）に対向する一対の案内部分（６４）を有することを特徴とする仮設部材。
【請求項２】
上記案内部分（６４）の下端が上記挿入部分（５４）の下端よりも下にあることを特徴とする請求項１に記載の仮設部材。
【請求項３】
上記案内部分（６４）の下端部は上記挿入部分側の角部（６０）が面取りされて斜めに形成されていることを特徴とする請求項２に記載の仮設部材。
【請求項４】
上記連結部（４８）は、水平軸（４６）を介して回転自在に上記水平部材（２６）の端部に連結されていることを特徴とする請求項１〜３のいずれかに記載の仮設部材。
【請求項５】
上記水平部材（２６）は、
上記水平部材（２６）の他端側を構成する筒状部材（２７）と、
上記筒状部材（２７）に進退自在に挿入され、自由端に上記連結部（４８）を保持した調整部材（３０）と、
上記調整部材（３０）を上記筒状部材（２７）に対して固定する固定部（３２）を備えていることを特徴とする請求項１〜４のいずれかに記載の仮設部材。
【請求項６】
上記係合部（７４）は、
上記斜材（２８）の他端部に固定され且つ上記係合部（７４）が上記ポケット（１４）に係合している状態でほぼ上下方向に向けられる垂直板（７６）と、上記垂直板（７６）の上端と下端から上記縦柱（１２）に向かって水平に伸びる上部フランジ（７８）及び下部フランジ（８０）と、上記上部フランジ（７８）と下部フランジ（８０）にそれぞれ形成された上部孔（８４）及び下部孔（８６）と、上記係合部（７４）が上記ポケット（１４）に係合している状態で上記上部孔（８４）から上記ポケット（１４）を介して上記下部孔（８６）に貫通する楔（９０）と、上記上部フランジ（７８）と下部フランジ（８０）を連結し且つ上記係合部（７４）が上記ポケット（１４）に係合している状態で上記ポケット（１４）の一方の側壁（２０）に隣接する規制壁（８２）を備えていることを特徴とする請求項１〜５のいずれかに記載の仮設部材。
【請求項７】
上記縦柱（１２）がパイプからなり、
上記上部フランジ（７８）と下部フランジ（８０）は、上記係合部（７４）が上記ポケット（１４）に係合している状態で上記縦柱（１２）の外周面に対向する先端部分に、上記縦柱（１４）の外形に対応する窪み（８８）を有することを特徴とする請求項６に記載の仮設部材。
【請求項８】
仮設部材用縦柱（１２）の外周部に固定され且つ上記縦柱（１２）の外周面から外側に略平行に伸びる一対の側壁（２０）と上記一対の側壁（２０）の端部を相互に連結する端壁（２２）からなる横断面が略コ字状のポケット（１４）に係合する連結部（４８）であって、
上記ポケット（１４）にその上方から挿入される挿入部分（５４）と、
上記挿入部分（５４）とほぼ平行に下方に伸び、上記挿入部分（５４）を上記ポケット（１４）に挿入した状態で上記ポケット（１４）の側壁（２０）を挟んで上記挿入部分（５４）に対向する案内部分（６４）を有することを特徴とする仮設部材用連結部。
【発明の詳細な説明】
【技術分野】
【０００１】
本発明は、建築物などの構造体の外側等に一時的に構築される仮設構造物又は仮設足場、およびそのような仮設構造物等に利用される仮設部材に関する。
【背景技術】
【０００２】
従来、仮設構造物に利用される部材として、特許文献１に記載されているものがある。この仮設部材は、所定の間隔をあけて設置される縦柱を相互に連結する水平部材と斜材を備えたもので、水平部材の一端に斜材の一端が回転可能に連結されており、水平部材の両端と斜材の自由端にそれぞれ連結部が設けてある。
【特許文献１】特開２００２−３１７５５２号公報
【発明の開示】
【発明が解決しようとする課題】
【０００３】
しかしながら、特許文献１に記載されている仮設部材の水平部材に設けた連結部は単なる鉤状のフックからなり、これに対応する縦柱の被連結部は縦柱の外周に沿って連続的に伸びるフランジに上下方向の貫通孔を設けただけの構成である。そのため、上方に位置する被連結部に対して下から水平部材を斜めに差し上げてその先端フックを小さな貫通孔に係合させるのは容易なことでなかった。そこで、本発明は、特許文献１に記載されている形式と異なる形式の仮設構造物に対して容易に組み付けることができる仮設部材を提供することを目的とする。
【課題を解決するための手段】
【０００４】
本発明はこの目的を達成するためになされたもので、所定の間隔をあけて配置された縦柱（１２）の間を相互に連結する仮設部材（２４）は、隣接する縦柱（１２）の間に水平方向に配置される水平部材（２６）と、上記水平部材（２６）の一端側に回転自在に連結された斜材（２８）と、上記水平部材（２６）の一端側と他端側にそれぞれ設けられ、上記縦柱（１２）の外周面から外側に略平行に伸びる一対の側壁（２０）と上記一対の側壁（２０）の端部を相互に連結する端壁（２２）からなる横断面が略コ字状のポケット（１４）に係合する連結部（４８、４８’）と、上記斜材（２８）の自由端に設けられ、上記連結部（４８）が係合するポケット（１４）の下方又は上方に設けられた別のポケット（１４）と係合する係合部（７４）を有し、上記水平部材（２６）の両端に設けた連結部（４８，４８’）の少なくともいずれか一方は、上記ポケット（１４）にその上方から挿入される挿入部分（５４）と、上記挿入部分（５４）を挟んでその両側でほぼ平行に下方に伸び、上記挿入部分（５４）を上記ポケット（１４）に挿入した状態で上記ポケット（１４）の両側壁（２０）を挟んで上記挿入部分（５４）に対向する一対の案内部分（６４）を有することを特徴とする。
【０００５】
この仮設部材において、上記案内部分（６４）の下端は上記挿入部分（５４）の下端よりも下にあることが好ましい。
【０００６】
また、上記案内部分（６４）の下端部は上記挿入部分側の角部（６０）が面取りされて斜めに形成されていることが好ましい。
【０００７】
さらに、上記連結部（４８）は、水平軸（４６）を介して回転自在に上記水平部材（２６）の端部に連結されていることが好ましい。
【０００８】
さらにまた、上記水平部材（２６）は、上記水平部材（２６）の他端側を構成する筒状部材（２７）と、上記筒状部材（２７）に進退自在に挿入され、自由端に上記連結部（４８）を保持した調整部材（３０）と、上記調整部材（３０）を上記筒状部材（２７）に対して固定する固定部（３２）を備えていることが好ましい。
【０００９】
また、上記係合部（７４）は、上記斜材（２８）の他端部に固定され且つ上記係合部（７４）が上記ポケット（１４）に係合している状態でほぼ上下方向に向けられる垂直板（７６）と、上記垂直板（７６）の上端と下端から上記縦柱（１２）に向かって水平に伸びる上部フランジ（７８）及び下部フランジ（８０）と、上記上部フランジ（７８）と下部フランジ（８０）にそれぞれ形成された上部孔（８４）及び下部孔（８６）と、上記係合部（７４）が上記ポケット（１４）に係合している状態で上記上部孔（８４）から上記ポケット（１４）を介して上記下部孔（８６）に貫通する楔（９０）と、上記上部フランジ（７８）と下部フランジ（８０）を連結し且つ上記係合部（７４）が上記ポケット（１４）に係合している状態で上記ポケット（１４）の一方の側壁（２０）に隣接する規制壁（８２）を備えていることが好ましい。
【００１０】
さらに、上記縦柱（１２）がパイプからなり、上記上部フランジ（７８）と下部フランジ（８０）は、上記係合部（７４）が上記ポケット（１４）に係合している状態で上記縦柱（１２）の外周面に対向する先端部分に、上記縦柱（１４）の外形に対応する窪み（８８）を有することが好ましい。
【００１１】
本発明の仮設部材用連結部は、仮設部材用縦柱（１２）の外周部に固定され且つ上記縦柱（１２）の外周面から外側に略平行に伸びる一対の側壁（２０）と上記一対の側壁（２０）の端部を相互に連結する端壁（２２）からなる横断面が略コ字状のポケット（１４）に係合する連結部（４８）であって、上記ポケット（１４）にその上方から挿入される挿入部分（５４）と、上記挿入部分（５４）とほぼ平行に下方に伸び、上記挿入部分（５４）を上記ポケット（１４）に挿入した状態で上記ポケット（１４）の側壁（２０）を挟んで上記挿入部分（５４）に対向する案内部分（６４）を有することを特徴とする。
【発明の効果】
【００１２】
このような構成を採用した仮設部材を縦柱に組み付ける場合、作業員は水平部材を斜め上方に向け、目的のポケットの斜め下方から該ポケットの上部開口部が見えない状態で作業を行うことになるが、挿入部分の両側に設けた案内部分によって挿入部材がポケットに確実に案内されて落ち込む。したがって、本発明によれば、水平部材と斜材からなる仮設部材を、簡単且つ容易に縦柱に組み付けることができる。
【発明を実施するための最良の形態】
【００１３】
以下、添付図面を参照して本発明の好適な実施形態を説明する。なお、明細書及び請求の範囲では「上」、「下」、「右」、「左」などの位置関係を説明する用語及びそれらの用語を含む別の用語を用いているが、それらの用語の使用は発明の理解を容易にするためのもので、それらの用語の有する意味によって発明の技術的範囲及びその均等範囲が制限されるものではない。
【００１４】
図１は、本発明に係る仮設部材を用いた仮設構造物１０の一部を示す。この仮設構造物１０において、縦柱１２は横断断面が円形のパイプで構成されている。ただし、発明の性質上、縦柱１２の横断面形状は限定的な要素ではなく、例えば横断面が四角形のパイプを縦柱に用いてもよい。縦柱１２の外周面には、縦柱１２に水平材及び斜材を連結するための横断面コ字状ポケット（連結部、係合部）１４が設けてある。図１０に示すように、ポケット１４は、縦柱１２の中心軸上で直角に交差する２つの縦平面１６（１６ａ、１６ｂ）に沿って、縦柱１２の長手方向に所定の間隔をあけて、縦柱１２の外周面上に設けられている。実施の形態において、各縦平面１６（１６ａ、１６ｂ）に沿って縦柱１２の両側に設けられたポケット１４（１４ａと１４ａ、１４ｂと１４ｂ）は、中心軸１８に対して対称に配置されている。また、一方の縦平面１６（１６ａ）に沿って配置されたポケット１４（１４ａ）と他方の縦平面１６（１６ｂ）に沿って配置されたポケット１４（１４ｂ）は、ほぼポケット１４の縦方向高さ分だけ上下方向に位置を違えてある。
【００１５】
ポケット１４（１４ａ，１４ｂ）は、縦平面１６（１６ａ、１６ｂ）を挟んで離間すると共に該縦平面１６（１６ａ、１６ｂ）とほぼ平行に伸びる一対の側壁２０と、一対の側壁２０の先端部分を連結する端壁２２を備えている。通常、各ポケット１４は、一枚の板材をコ字状に折り曲げ、対向する側壁２０の対向端部を縦柱１２の外周面に溶接して固定される。また、図１〜４及び図７に示すように、ポケット１４は上端開口部から下端開口部に向かって次第に横断面が小さくなるように構成することが好ましい。
【００１６】
図１に戻り、本発明に係る仮設部材２４は、水平部材２６と斜材２８を有する。水平部材２６は、断面円形の筒状部材（パイプ）からなる。ただし、発明の性質上、水平部材２６の横断面形状は限定的な要素ではなく、例えば横断面が四角形のパイプを水平部材に用いてもよい。また、図の左側に示す水平部材２６の端部は開放されており、この開放端部に、水平部材２６の一端部を構成する調整部材（調整ロッド）３０が進退自在に挿入されている。
【００１７】
図５〜図８に示すように、調整部材３０は、水平部材２６の内径とほぼ同一又はそれよりも僅かに小さな外径を有するパイプが利用されている。仮設部材２４には、水平部材２６に対して調整部材３０を固定するための固定部３２が設けてある。実施の形態に示す固定部３２において、調整部材３０の基端側（挿入端側）には上下方向に貫通する孔３４が形成され、水平部材２６の開放端部近傍には調整部材３０の貫通孔３４に対応する上下方向の貫通孔３６が形成されており、これら貫通孔３４，３６を一致させた状態で固定ピン３８が貫通孔３４，３６に挿通できるようにしてある。図示するように、固定ピン３８は、これが無くなるのを防止するために、適当な紐４０又はチェーンによって水平部材２６に繋がれている。また、図示するように、紐４０の一端を水平部材２６に固定するためのボルト４２は、水平部材２６の内側に突出し、調整部材３０に形成された長溝（長軸方向の溝）４４の内側に位置しており、調整部材３０が水平部材２６から脱落するのを防止している。換言すれば、水平部材２６に対する調整部材３０の移動量（進退量）が、長溝４４とボルト４２によって決められている。さらに、紐４０は大きなリング４５を介してピン３８に連結されており、図５に示すように、ピン３８の先端を上方から貫通孔３４，２６に挿通した状態でリング４５がピン３８の脱落を防止する役目を果たしている。
【００１８】
図６に示すように、調整部材３０の自由端は、水平方向両側から加圧されて板状に加工されている。また、自由端には、この自由端を水平方向に横断する軸（シャフト）４６を介して、ポケット連結部４８が回転自在に設けてある。
【００１９】
図５及び図６に示すように、ポケット連結部４８は、逆Ｌ字状の本体部５０を有する。本体部５０は一枚の鉄板を加工して形成されており、水平方向に伸びる基部５２と基部５２の先端部分から下方に伸びるポケット挿入部分（楔）５４を一体的に備えており、基部５２の基端側（図３の右側）が軸４６によって調整部材３０の自由端に連結されている。実施の形態では、基部５２の下端部には該基部５２から板厚方向に突出する規制部５８が形成されており、この規制部５８によって調整部材３０に対するポケット連結部４８の回転角度が制限されている。実施の形態ではまた、ポケット１４の横断面が下方に向かって次第に小さくなっていることに対応して、ポケット１４に挿入される挿入部分５４は下方に向かって次第に水平方向の板幅（板厚と直交する水平方向の幅）が小さくしてある。また、ポケット挿入部分５４の板厚は、ポケット１４の横幅（対向する側壁２０の内のり寸法）よりも小さくしてある。
【００２０】
本体部５０はその先端側に案内部６０を支持している。案内部６０は、一枚の鉄板を加工して形成されており、水平方向の上部固定部６２と、上部固定部６２の両端側から下方に伸びる一対の側部案内部分６４を備えている。この一対の側部案内部分６４の間の内のり寸法は、ポケット側壁２０の外のり寸法とほぼ同一又はそれよりも大きく設定されている。実施の形態において、側部案内部分６４の内側下端角部６６は斜めに面取りされている。このように構成された案内部６０は、本体部５０と直交する方向に向けられ、例えば上部固定部６２を本体部５０の先端側上縁部に形成された溝６８に係合して溶接等によって固定されており、この状態で本体部挿入部分５４の両側には所定の間隔をあけて側部案内部分６４が対向している。この間隔は、ポケット側壁２０の厚みとほぼ同一又はそれにより大きく設定されている。また、両側部案内部分６４の下端位置（下端高さ）は、それの中間にある本体部挿入部分５４の下端位置（下端高さ）よりも下に位置させてある。
【００２１】
図１に戻り、水平部材２６の図上右側の他端部には、上述した一端側のポケット連結部４８と同様の又は類似のポケット連結部４８’が取り付けてある。この他端側のポケット連結部４８’は、一端側のポケット連結部４８と同様に、例えばボルトとナットを備えた水平軸７０によって水平部材２６に固定されている。一端側のポケット連結部４８は水平軸４６を中心として所定の角度範囲で回転可能としているのに対して他端側のポケット連結部４８’は水平部材２６に回転不能に固定されているが、一端側のポケット連結部４８と同様に他端側のポケット連結部４８’も水平部材２６に対して回転可能してもよい。実施の形態では、他端側のポケット連結部４８’の他の構成は一端側のポケット連結部４８と同一であるので、この他端側のポケット連結部４８’の詳細な説明は省略する。
【００２２】
斜材２８は、水平部材２６と同様に、横断面が円形のパイプで構成されている。ただし、発明の性質上、縦柱１２の横断面形状は限定的な要素ではなく、例えば横断面が四角形のパイプを縦柱に用いてもよい。また、斜材２８がパイプ（中空の筒状部材）である必要もなく、中実の鉄筋（丸鋼）を利用することもできる。
【００２３】
斜材２８は、図面上で右側の一端部が、水平軸７２を介して、水平部材２６の他端側端部近傍に回転可能に連結されている。一方、斜材２８の他端部は、上述したポケット連結部４８と異なる形状のポケット係合部７４を備えている。
【００２４】
ポケット係合部７４は、図１０と図１１に詳細に示すように、ポケット係合部７４を縦柱１２のポケット１４に係合した状態で縦柱１２の外周面に対向して上下方向に向けられる垂直壁７６を有する。垂直壁７６は、その上端と下端から縦柱１２（斜材２８とは反対側）に向かって水平方向に伸びる上部フランジ７８及び下部フランジ８０を支持している。図１０に示すように、垂直壁７６の一方の側縁部には、上部フランジ７８と下部フランジ８０の間にあって、縦柱１２に向かって垂直壁７６と直交方向に伸びる規制壁８２が設けてある。これら垂直壁７６、上部フランジ７８及び下部フランジ８０、規制壁８２は、一枚の鉄板を折り曲げて形成することができる。
【００２５】
図１１に示すように、上部フランジ７８と下部フランジ８０との内のり寸法は、ポケット１４の上下方向外のり寸法よりも大きくしてある。また、上部フランジ７８の中央部には前後方向に伸びる上部スロット８４が形成され、下部フランジ８０の中央部には上部スロット８４よりも幅の広い下部スロット８６が前後方向に形成されている。さらに、実施の形態では、図１０及び図１１に示すように、上部フランジ７８の先端はこれを下方に折り曲げて先端壁８７が形成されている。また、図１０に示すように、上部フランジ７８と下部フランジ８０の先端中央部には縦柱１２の外径に対応した曲率の窪み８８が形成されている。
【００２６】
ポケット係合部７４は、これをポケット１４に対して位置決めするために、楔９０を保持している。楔９０は鉄板を楔状（下端に向かうに従って細くなる形）に加工して形成されている。また、楔９０は、その下端部を上部フランジ７８の上部スロット８４を介して上部フランジ７８の下に突出させてあり、その下端部を横方向（板厚方向）に折り曲げて抜け止め部（抜け止めフック）９２が形成されている。楔９０の本体部分の板厚にそこから突出する抜け止め部９２の長さを加えた合計値は、上部スロット８４から楔９０の下端部が抜け出るのを防止するために、上部スロット８４の幅よりも長くしてある。一方、楔９０がポケット１４を貫通して下部スロット８６からその下方に突出できることを保証するために、上記合計値はポケット１４の幅及び下部スロット８６の幅よりも小さい値に決められている。
【００２７】
このように構成された仮設部材２４を縦柱１２に組み付ける場合、図２に示すように、まず水平部材２６の一端に設けたポケット連結部４８の中央挿入部分（楔）５４を上方から目的のポケット１４に落とし込む。このとき、通常、作業員は水平部材２６を斜め上方に向け、目的のポケット１４の斜め下方から該ポケット１４の上部開口部が見えない状態で作業を行うことになるが、図９に示すように、挿入部分５４の両側に設けた案内部分６４の下端角部６６がポケット側壁２０に案内されるため、中央挿入部分５４が確実にポケット１４に落ち込む。なお、この時点で、調整部材３０は、水平部材２６に対して固定されておらず、水平部材２６に対して自由に進退できるようにしてある。また、この一端側のポケット連結部４８は調整部材３０に対して回転可能であるため、図１に示すようにポケット連結部４８を下方から眺めながら作業する場合でも、ポケット連結部４８の挿入部分５４はポケット１４の内側に無理なく落ち込む。
【００２８】
次に、図３に示すように、他方のポケット連結部４８’を、隣接する縦柱１２に設けられているポケット１４に連結する。このとき、図示するように、水平部材２６は斜めに向けられるが、既にポケット１４に連結されているポケット連結部４８は回転可能に調整部材３０に連結されているので、水平部材２６の他端側は無理なく持ち上げることができる。一方、連結すべきポケット連結部４８’は水平部材２６に対して固定されているので、該ポケット連結部４８’の中央挿入部分（楔）５４は、両側の案内部分６４に案内されながら、確実にポケット１４の内側に落ち込む。さらに、縦柱１２が傾斜して縦柱間隔が目的の間隔よりも広く又は狭くなっていても、調整部材３０は水平部材２６に対して進退可能であることから、縦柱１２の間隔に応じて調整部材３０の進出量及び水平方向の長さが調整される。
【００２９】
続いて、図４に示すように、斜材２８の自由端に設けたポケット係合部７４を、上記一方のポケット連結部４８が連結されているポケット１４の下方に位置する別のポケット１４に係合する。このとき、図１０に示すように、ポケット係合部７４は、ポケット１４に対してその側方から係合する。具体的には、規制壁８２の反対側に位置する上部フランジ７８と下部フランジ８０の側部縁部をポケット１４の上方と下方にそれぞれ位置させた状態から、ポケット係合部７４をポケット１４に向けて水平に移動させる。このとき、上部フランジ７８と下部フランジ８０の先端が縦柱１２の外周面に案内され、中央の窪み８８に縦柱１２の外周面が落ち込んだ位置で、ポケット係合部７４が縦柱１２に位置決めされる。また、ポケット１４に対してポケット係合部７４を押し込み過ぎた場合、規制壁８２がポケット１４に接触し、ポケット係合部７４の移動が規制される。また、必要であれば、図１１に示すように、楔９０の下端をポケット１４の内部に挿入し、「てこの原理」を利用して、ポケット１４に対してポケット係合部７４を適正に位置させる。そして、上下フランジ７８，８０のスロット８４，８６とポケット１４が上下方向に整列した状態で楔９０を押し下げ、ポケット１４に対してポケット係合部７４を位置決めする。
【００３０】
ポケット係合部７４がポケット１４に適正に係合すると、仮設部材２４によって連結された２つの縦柱１２の間隔が正規の値に矯正される。その結果、調整部材３０の進出量が目的の値に調整され、調整部材３０と水平部材２６の貫通孔３４，３６が一直線上に整列する。そして、整列した貫通孔３４，３６に固定ピン３８が挿入されて固定される。
【００３１】
仮設部材２４を解体する場合、上述の組み付け作業と逆の手順を行う。
【００３２】
以上、本発明に係る仮設部材の一実施形態を説明したが、この仮設部材は種々変形可能である。例えば、図１２に示すように、斜材２８の側部にピン３８の外径とほぼ同一の内径を有する環状（リング）部材９４を固定し、水平部材２６に斜材２８を折り畳んだ状態で、水平部材２６に貫通したピン３８を環状部材９４に挿入し、これにより仮設部材２４は水平部材２６と斜材２８を折り畳んだ状態で運ぶことができる。
【図面の簡単な説明】
【００３３】
【図１】本発明に係る仮設部材の正面図。
【図２】図１に示す仮設部材を縦柱に組み付ける方法を説明する正面図。
【図３】図２と共に仮設部材を縦柱に組み付ける方法を説明する正面図。
【図４】図２、３と共に仮設部材を縦柱に組み付ける方法を説明する正面図。
【図５】仮設部材の一端を分解した断面図。
【図６】仮設部材の一端の斜視図。
【図７】仮設部材の一端を伸縮した状態の正面図。
【図８】仮設部材の一端を縮めた状態の正面図。
【図９】ポケット連結部をポケットに係合する状態を示す図。
【図１０】ポケット係合部をポケットに係合する状態を示す図。
【図１１】図１０と同様に、ポケット係合部をポケットに係合する状態を示す図。
【図１２】他の実施形態の仮設部材正面図。
【符号の説明】
【００３４】
１０…仮設構造物、１２…縦柱、１４（１４ａ、１４ｂ）…ポケット、１６（１６ａ、１６ｂ）…縦平面、１８…中心軸、２０…側壁、２２…端壁、２４…仮設部材、２６…水平部材、２８…斜材、３０…調整部材、３２…固定部、３４，３６…貫通孔、３８…固定ピン、４０…紐、４２…紐固定ボルト、４４…長溝（案内溝）、４６…軸、４８…ポケット連結部、５０…本体部、５２…基部、５４…ポケット挿入部分、５６…軸、５８…規制部、６０…案内部、６２…上部固定部、６４…案内部分、６６…下端角部、６８…溝、７０…軸、７２…軸、７４…ポケット係合部、７６…垂直壁、７８…上部フランジ、８０…下部フランジ、８２…規制壁、８４…上部スロット、８６…下部スロット、８８…窪み、９０…楔、９２…抜け止め部。
【図１】
2006169883.tif 000003
【図２】
2006169883.tif 000004
【図３】
2006169883.tif 000005
【図４】
2006169883.tif 000006
【図５】
2006169883.tif 000007
【図６】
2006169883.tif 000008
【図７】
2006169883.tif 000009
【図８】
2006169883.tif 000010
【図９】
2006169883.tif 000011
【図１０】
2006169883.tif 000012
【図１１】
2006169883.tif 000013
【図１２】
2006169883.tif 000014